(57)【要約】【課題】係止力の強固なハーネスバンドの提供。【解決手段】可撓性を有する長尺なバンド体１と、内部に該バンド体１を挿通する挿通孔３を画成したロック体２とを一体に備え、バンド体１に対しては、その一面側に第１係止列歯５を連続して形成し、ロック体２に対しては、その挿通孔３内に弾性舌片６を設けて、該弾性舌片６に上記第１係止列歯５と係止する第１ロック爪７を形成したハーネスバンドであって、上記バンド体１の一面側に第１係止列歯５の列方向に沿った第２係止列歯８を連続して形成し、弾性舌片６側に第２係止列歯８を係止する第２ロック爪９を形成することにより、第１係止列歯５と第１ロック爪７に加えて、第２係止列歯８が第２ロック爪９に係止することで、係止力の低下を有効に防止できる。【選択図】　　　　　図２
2004067136.tif 000002
【特許請求の範囲】
【請求項１】
可撓性を有する長尺なバンド体と、内部に該バンド体を挿通する挿通孔を画成したロック体とを一体に備え、バンド体に対しては、その一面側に第１係止列歯を連続して形成し、ロック体に対しては、その挿通孔内に弾性舌片を設けて、該弾性舌片に上記第１係止列歯と係止する第１ロック爪を形成したハーネスバンドであって、上記バンド体の一面側に第１係止列歯の列方向に沿った第２係止列歯を連続して形成し、弾性舌片側に第２係止列歯を係止する第２ロック爪を形成し、該第２ロック爪の係止面は挿通方向に対して非直角の斜面とされていることを特徴とするハーネスバンド。
【請求項２】
第２係止列歯と第２ロック爪の係止面の内、最大摩擦角θの大きい方がｔａｎθ＞μであることを特徴とする請求項１記載のハーネスバンド。
【請求項３】
第２係止列歯はバンド体の両側に形成されていることを特徴とする請求項１記載のハーネスバンド。
【請求項４】
弾性舌片は断面長方形状を呈して、バンド体と対面する面に第１ロック爪を形成し、該面と交差する面に第２ロック爪を形成したことを特徴とする請求項１記載のハーネスバンド。
【請求項５】
第２ロック爪は、挿通孔の出口側に向かった係止面を有し、該係止面は、弾性舌片本体に対して水平方向と垂直方向で傾斜する斜面を有することを特徴とする請求項１記載のハーネスバンド。
【請求項６】
第２ロック爪は、弾性舌片の支点から遠い自由端寄りに位置していることを特徴とする請求項１記載のハーネスバンド。
【請求項７】
第１係止列歯よりも第２係止列歯の方が、巾が狭く且つ傾きが大きいことを特徴とする請求項１記載のハーネスバンド。
【請求項８】
第２係止列歯が第２ロック爪に係止するタイミングは、第１係止列歯が第１ロック爪に係止するタイミングよりも遅れることを特徴とする請求項１記載のハーネスバンド。
【発明の詳細な説明】
【０００１】
【発明の属する技術分野】
本発明は、例えば、自動車の内部に配線されるハーネス等を結束するハーネスバンドの改良に関するものである。
【０００２】
【従来の技術】
従来のこの種ハーネスバンドとして、実公平６−６２５２号公報に示すものが存する。
該従来のハーネスバンドは、具体的には図示しないが、合成樹脂の一体成形品で、可撓性を有する長尺なバンド体と、内部に該バンド体を挿通する挿通孔を画成したロック体と、パネルに穿設された取付孔に係着する弾性変形可能な脚体とを一体に備え、特に、バンド体に対しては、その外面側に係止列歯を連続して形成し、ロック体に対しては、その挿通孔内に弾性舌片を設けて、該弾性舌片に上記係止列歯と係止するロック爪を形成する構成となっている。
【０００３】
そして、実際の使用に際しては、上記長尺なバンド体の内面側でハーネスを抱持する状態を得て、バンド体の自由端部をロック体の挿通孔内に挿入して、当該バンド体の自由端部をロック体の挿通孔内から引き出せば、バンド体の外面に形成されている係止列歯に挿通孔の弾性舌片に形成されているロック爪が係止して、ハーネスを結束状態に保持できるので、後は、弾性変形可能な脚体をパネルの取付孔に係着すれば、ハーネスが結束状態のまま当該パネルに固定させることとなる。
【０００４】
【発明が解決しようとする課題】
従って、従来のハーネスバンドにあっては、簡単な作業で、ハーネスを結束保持できる利点を有するものであるが、反面、例えば、ロック体の挿通孔内において、弾性舌片に形成されたロック爪とこれに対応する挿通孔の壁面との間に寸法上のバラツキが生じたり、或いは、バンド体自体の肉厚にバラツキが生じたりすると、係止列歯とロック爪の係止高さが小さくなって、バンド体に強い引き抜き力が加わったような場合には、この係止列歯とロック爪の係止部が高い応力で変形して、係止力が低下してしまう恐れがあった。
【０００５】
【課題を解決するための手段】
本発明は、斯かる従来のハーネスバンドが抱える課題を有効に解決するために開発されたもので、請求項１記載の発明は、可撓性を有する長尺なバンド体と、内部に該バンド体を挿通する挿通孔を画成したロック体とを一体に備え、バンド体に対しては、その一面側に第１係止列歯を連続して形成し、ロック体に対しては、その挿通孔内に弾性舌片を設けて、該弾性舌片に上記第１係止列歯と係止する第１ロック爪を形成したハーネスバンドであって、上記バンド体の一面側に第１係止列歯の列方向に沿った第２係止列歯を連続して形成し、弾性舌片側に第２係止列歯を係止する第２ロック爪を形成し、該第２ロック爪の係止面は挿通方向に対して非直角の斜面とされている構成を採用した。
【０００６】
請求項２記載の発明は、請求項１を前提として、第２係止列歯と第２ロック爪の係止面の内、最大摩擦角θの大きい方がｔａｎθ＞μである構成を採用した。
【０００７】
請求項３記載の発明は、請求項１を前提として、第２係止列歯はバンド体の両側に形成される構成を採用した。
【０００８】
請求項４記載の発明は、請求項１を前提として、弾性舌片は断面長方形状を呈して、バンド体と対面する面に第１ロック爪を形成し、該面と交差する面に第２ロック爪を形成する構成を採用した。
【０００９】
請求項５記載の発明は、請求項１を前提として、第２ロック爪は、挿通孔の出口側に向かった係止面を有し、該係止面は、弾性舌片本体に対して水平方向と垂直方向で傾斜する斜面を有する構成を採用した。
【００１０】
請求項６記載の発明は、請求項１を前提として、第２ロック爪は、弾性舌片の支点から遠い自由端寄りに位置している構成を採用した。
【００１１】
請求項７記載の発明は、請求項１を前提として、第１係止列歯よりも第２係止列歯の方が、巾が狭く且つ傾きが大きい構成を採用した。
【００１２】
請求項８記載の発明は、請求項１を前提として、第２係止列歯が第２ロック爪に係止するタイミングは、第１係止列歯が第１ロック爪に係止するタイミングよりも遅れる構成を採用した。
【００１３】
依って、請求項１記載の発明にあっては、従来の如く、ロック体の挿通孔内において、弾性舌片に形成された第１ロック爪とこれに対応する挿通孔の壁面との間に寸法上のバラツキが生じたり、或いは、バンド体自体の肉厚にバラツキが生じたりして、第１係止列歯と第１ロック爪との係止高さが小さくなっても、第２係止列歯が第２ロック爪に係止することで、係止力の低下を有効に防止できる。特に、引き抜き力が加わった際には、係止面の斜面の水平部分により、第２係止列歯と第２ロック爪とが深く係止すると共に、同垂直部分により、バンド体と弾性舌片が強く密着することとなる。従って、第２係止列歯と第２ロック爪の係止部に強い引き抜き力が加わると、第２ロック爪の斜面で、第１係止列歯と第１ロック爪をより一層強固に食い込ませることとなるので、全体として見ると、従来にない強い係止力が得られる。
【００１４】
請求項２記載の発明にあっては、第２係止列歯と第２ロック爪の係止面同士が確実に滑って引き寄せられるので、強固な係止状態が得られる。請求項３記載の発明にあっては、バンド体をロック体の挿通孔に挿入する時は、バンド体を傾かせることなく、第２ロック爪側に引き寄せることが可能となる。請求項４記載の発明にあっては、第１ロック爪を小さくすることなく、第２ロック爪を形成することが可能となる。請求項５記載の発明にあっては、バンド体と弾性舌片とがセンタリングされるので、第２係止列歯と第２ロック爪の確実な係止状態が得られる。
【００１５】
請求項６記載の発明にあっては、第２ロック爪側は十分に撓むことができるので、バンド体の挿通孔に対する挿入時に、第２ロック爪にダレが発生する心配がない。請求項７記載の発明にあっては、第１係止列歯の形成域を小さくすることなく、第２係止列歯の形成を可能として、第２ロック爪との確実な係止状態が保障できる。請求項８記載の発明は、タイミングがずれることによって、両者の確実な係止状態が得られる。
【００１６】
【発明の実施の形態】
以下、本発明を図示する好適な実施の形態に基づいて詳述すれば、該実施の形態に係るハーネスバンドも、合成樹脂の一体成形品で、図１・図２に示す如く、可撓性を有する長尺なバンド体１と、該バンド体１の基端部１ａ側に連設されて内部にバンド体１を挿通する挿通孔３を画成したロック体２と、該ロック体２の下面から垂設された弾性変形可能な脚体４とを一体に備え、バンド体１に対しては、その外面側の長手方向に鋸歯状の第１係止列歯５を連続して形成し、ロック体２に対しては、その挿通孔３内に断面長方形状を呈する弾性舌片６を設けて、該弾性舌片６上のバンド体１と対面する面に２個の第１ロック爪７を形成することを前提とするものであるが、特徴とするところは、以下の構成を採用した点にある。
【００１７】
即ち、本実施の形態にあっては、図示する如く、まず、バンド体１に対しては、その外面両側縁に第１係止列歯５の列方向に沿った一対の鋸歯状第２係止列歯８を同じく連続して成形する一方、ロック体２の弾性舌片６に対しては、その第１ロック爪７を形成した面と交差する側面の支点から遠い自由端寄りに一対の第２ロック爪９を形成して、ハーネスの結束時には、第１係止列歯５と第１ロック爪７の係止に加えて、この第２係止列歯８と第２ロック爪９とも係止させる構成となしたものである。
【００１８】
尚、この場合において、上記一対の第２係止列歯８は、図３にも示す如く、第１係止列歯５よりも一段背が高いが、その巾は狭く且つ傾きが若干大きくなるように設定されて、バンド体１の両側縁に第２ロック爪９との係止面が斜面１０となるように形成されているので、第１係止列歯５の形成域を小さくすることなく、第２係止列歯８の形成を可能として、第２ロック爪９との確実な係止状態が保障されると共に、バンド体１をロック体２の挿通孔３に挿入する時は、バンド体１を傾かせることなく、第２ロック爪９側に引き寄せることが可能となる。又、一対の第２ロック爪９は、図４に示す如く、第２係止列歯８と係止する係止面が、挿通孔３の出口側に向かった傾斜面であり、この傾斜面が弾性舌片６本体に対して水平方向と垂直方向で傾斜する斜面１０となるように形成され、且つ、弾性舌片６の側面に形成されているので、第１ロック爪７を小さくすることなく、第２ロック爪９を形成することが可能となる。
【００１９】
依って、斯かるハーネスバンドの使用に際しては、従来と同様に、長尺なバンド体１の内面側でハーネスＨを抱持する状態を得て、バンド体１の自由端部１ｂをロック体２の挿通孔３内に挿入して、当該バンド体１の自由端部１ｂを挿通孔３の反対側へ引き出すと、本実施の形態の下では、図５・図６に示す如く、タイミングをずらしながら、第１係止列歯５が第１ロック爪７に係止し、次いで、その両側で、第２係止列歯８が第２ロック爪９に係止して、ハーネスＨを結束状態に保持できるので、後は、脚体４をパネル１１に穿設されている取付孔１２に係着すれば、ハーネスＨを結束状態のままパネル１１側に簡単に固定できることとなる。又、この場合には、第２係止列歯８と第２ロック爪９の係止面の内、最大摩擦角θの大きい方がｔａｎθ＞μとなるので、第２係止列歯８と第２ロック爪９の係止面同士が確実に滑って引き寄せられるので、強固な係止状態が得られる。
【００２０】
しかし、このハーネスＨの結束保持状態にあっては、従来と異なり、第１係止列歯５と第１ロック爪７の係止に加えて、第２係止列歯８と第２ロック爪９とが係止する関係で、ロック体２の挿通孔３内において、弾性舌片６に形成された第１ロック爪７とこれに対応する挿通孔３の壁面との間に寸法上のバラツキが生じたり、或いは、バンド体１自体の肉厚にバラツキが生じたりして、第１係止列歯５と第１ロック爪７の係止高さが小さくなっても、第２係止列歯８が第２ロック爪９に係止することで、係止力の低下を有効に防止できる。特に、引き抜き力が加わった際には、係止面の斜面１０の水平部分により、第２係止列歯８と第２ロック爪９とが深く係止すると共に、同垂直部分により、バンド体１と弾性舌片６が強く密着することとなる。従って、第２係止列歯８と第２ロック爪９の係止部に強い引き抜き力が加わると、第２係止列歯８と第２ロック爪９の各斜面１０の作用で、バンド体１と弾性舌片６とが強く密着して、第１係止列歯５と第１ロック爪７をより一層強固に食い込ませることとなるので、全体として見ると、従来にない強い係止力が得られることとなる。
【００２１】
更に、バンド体１を挿通孔３に挿入する際に、バンド体１の自由端部１ｂを挿通孔３からかなりのスピードで引き出すと、第１ロック爪７にダレが発生して、強固な係止状態が得られなくなる恐れもあるが、第２ロック爪９は弾性舌片６の自由端側に形成されている関係で、十分に撓んでダレが発生しないので、第２係止列歯８と第２ロック爪９の係止で、ハーネスＨの結束を代替できることともなる。
【００２２】
尚、本実施の形態にあっては、第２係止列歯８と第２ロック爪９とが共に斜面１０・１０で接触する構成となっているので、この両斜面１０の作用で、バンド体１と弾性舌片６とがセンタリングされるので、第２係止列歯８と第２ロック爪９の一層確実な係止状態が得られることともなる。
【００２３】
【発明の効果】
以上の如く、本発明は、上記構成の採用により、従来の如く、ロック体の挿通孔内において、弾性舌片に形成された第１ロック爪とこれに対応する挿通孔の壁面との間に寸法上のバラツキが生じたり、或いは、バンド体自体の肉厚にバラツキが生じたりして、第１係止列歯と第１ロック爪との係止高さが小さくなっても、第２係止列歯が第２ロック爪に係止することで、係止力の低下を有効に防止できる。特に、引き抜き力が加わった際には、係止面の斜面の水平部分により、第２係止列歯と第２ロック爪とが深く係止すると共に、同垂直部分により、バンド体と弾性舌片が強く密着することとなる。従って、第２係止列歯と第２ロック爪の係止部に強い引き抜き力が加わると、第２ロック爪の斜面で、第１係止列歯と第１ロック爪をより一層強固に食い込ませることとなるので、全体として見ると、従来にない強い係止力が得られる。
【図面の簡単な説明】
【図１】本発明の実施の形態に係るハーネスバンドを示す正面図である。
【図２】図１のＡ−Ａ線断面図である。
【図３】図１のＢ−Ｂ線断面図である。
【図４】ロック体の断面図である。
【図５】ハーネスを結束してパネルに固定した状態を示す断面図である。
【図６】第２係止列歯と第２ロック爪とが係止した状態を示す断面図である。
【符号の説明】
１　　バンド体
１ａ　基端部
１ｂ　自由端部
２　　ロック体
３　　挿通孔
４　　脚体
５　　第１係止列歯
６　　弾性舌片
７　　第１ロック爪
８　　第２係止列歯
９　　第２ロック爪
１０　斜面
１１　パネル
１２　取付孔
Ｈ　　ハーネス
【図１】
2004067136.tif 000003
【図２】
2004067136.tif 000004
【図３】
2004067136.tif 000005
【図４】
2004067136.tif 000006
【図５】
2004067136.tif 000007
【図６】
2004067136.tif 000008